(57)【特許請求の範囲】
【請求項１】
浴室用の壁パネルと天井を備える浴室ユニットであって、浴室用の壁パネルは、壁パネルのサイズ、色柄等の種類及び壁パネルの設置位置を示す壁パネル情報が印刷されている壁情報印刷部が壁パネル設置時における壁パネルの上面に設けられており、天井の壁情報印刷部に対応する箇所に切り欠きもしくは孔が設けられていることを特徴とする浴室ユニット。
【請求項２】
請求項１に記載の浴室ユニットにおいて、壁パネルは、壁パネルの設置順序を示す情報が壁情報印刷部に印刷されていることを特徴とする浴室ユニット。
【請求項３】
請求項１または２に記載の浴室ユニットにおいて、壁パネルは、壁パネル情報が識別コードで印刷されていることを特徴とする浴室ユニット。
【発明の詳細な説明】
【技術分野】
【０００１】
本発明は、壁パネル及び該壁パネルを備えた浴室ユニットに関するものである。
【背景技術】
【０００２】
従来、浴室用の壁パネルに、各種の表示を貼り付けたり印刷したりする構成は知られている。例えば、壁パネルに、穴加工位置を印刷した保護シートを貼り付けた浴室用の壁パネルは公知である（特許文献１、特許文献２参照）。
【０００３】
また、水平載置して積み重ねた際に表出する端面の側に、壁面を形成する際の割当て位置で定まる必要情報を個別に教示するための識別記号が付された壁材が知られている（特許文献３参照）。
【０００４】
なお、本出願人は、穴加工位置情報を壁表面に印刷した浴室用の壁パネルをすでに提案している（特願２０１４−０５９４２２号参照）。
【先行技術文献】
【特許文献】
【０００５】
【特許文献１】特開昭６３−２８０１４４公報
【特許文献２】特開２００８−８８６７１号公報
【特許文献３】特許第３６０４７３６号公報
【発明の概要】
【発明が解決しようとする課題】
【０００６】
従来、ユニットバスの壁は、同じ絵柄を印刷した１枚の壁パネルを複数枚組み合わせて構成されていることが多い。そのため壁柄としては、全周同柄もしくは正面パネルだけが異なるワンポイント柄の構成がほとんどである。
【０００７】
しかしながら、今後は、柄の表現性を広げるためにも全ての壁パネルの柄が違う柄や、隣同士の壁で色や柄が変化していく全周柄の組合せが主流となってくる可能性がある。そうなった場合に、今までは施工現場は同一柄が納入されていたのでどの壁をどこに設置してもよかったが、全ての壁柄に対して、個々に設置場所が指定されることになる。
【０００８】
特に、全周柄は、類似柄で形成されることが多く、設置場所が分かりにくく、設置ミスを起こしやすいという問題がある。背景技術で例示した従来技術は、壁の穴加工位置を指示する情報は、壁パネルに付与された構成であるが、複数の壁パネルをアート柄のように組合せて壁パネルに付与することはできない。
【０００９】
本発明は、上記従来の問題を解決することを目的とし、複数の壁パネルを組合せて、各壁パネルに、それぞれ設置位置等を示す所定の情報等を付与して、壁全体で所定の柄等を、形成し易く、誤設置が防止でき、しかも、アフターサービス時でも壁パネルを解体することなく容易に、取り替え等の対象となる壁パネルの情報を得ることのできる壁パネル及び該壁パネルを備えた浴室ユニットを実現することを課題とする。
【課題を解決するための手段】
【００１０】
本発明は上記課題を解決するために、浴室用の壁パネルと天井を備える浴室ユニットであって、浴室用の壁パネルは、壁パネルのサイズ、色柄等の種類及び壁パネルの設置位置を示す壁パネル情報が印刷されている壁情報印刷部が壁パネル設置時における壁パネルの上面に設けられており、天井の壁情報印刷部に対応する箇所に切り欠きもしくは孔が設けられていることを特徴とする浴室ユニットを提供する。
【００１１】
壁パネルの設置順序を示す情報が壁情報印刷部に印刷されていることが好ましい。
【００１２】
壁パネル情報が識別コードで印刷されていることが好ましい。
【発明の効果】
【００１４】
本発明によれば、浴室用の壁パネルにおいて、壁パネルのサイズや色柄等の種類及び壁パネルの設置位置を示す壁パネルの情報が印刷されている壁情報印刷部が壁パネル設置時における壁パネルの上面に設けられていることで、壁パネル設置時の誤設置を防止でき、また、アフターサービス時でも、壁パネルを解体することなく、壁パネル情報を得ることができる。
【図面の簡単な説明】
【００１５】
【図１】本発明に係る壁パネル及び該壁パネルを備えた浴室ユニットの実施例を説明する図であり、（ａ）は壁パネルの斜視図であり、（ｂ）浴室ユニットの全体構成を示す図である。
【図２】（ａ）は上記実施例の壁パネルの情報印刷部の一例を説明する図であり、（ｂ）はパネル設置説明書等の資料に記載された配置図を説明する図である。
【図３】（ａ）は上記実施例の浴室ユニットの天井を説明する平面図であり、（ｂ）は天井を浴室ユニットに組み立込んだ状態を説明する図である。
【図４】（ａ）〜（ｃ）は、それぞれ上記実施例の浴室ユニットの天井の構成例を説明する図である。
【発明を実施するための形態】
【００１６】
本発明に係る壁パネル及び該壁パネルを備えた浴室ユニットを実施するための形態を実施例に基づき図面を参照して、以下説明する。
【実施例】
【００１７】
本発明に係る壁パネル及び該壁パネルを備えた浴室ユニットの実施例を、図１〜４において説明する。この実施例の壁パネル１を図１（ａ）に示すが、壁パネル１は、図１（ｂ）に示すように、浴室ユニット２の壁３を構成する壁パネルである。４はドアである。
【００１８】
浴室ユニット２の壁３は、複数の壁パネル１で形成されるが、全体として、浴室内から見て、所定のデザイン、風景等のように、統一された図案が描かれることがある。
【００１９】
壁３全体にそのような統一された図案が浴室内から見えるように、複数の壁パネル１の浴室側に位置する内面には、それぞれ図案を構成するための要素となる色柄や風景等の一部が描かれている。このような図案を構成するための要素となる色柄や風景等の一部を、本明細書及び本発明では、「色柄」という。
【００２０】
複数の壁パネル１には、それぞれその上面５には、図１（ａ）、（ｂ）に示すように、情報印刷部６が設けられている。情報印刷部６には、当該壁パネル１を特定する各種の壁パネル情報が印刷されている。
【００２１】
図２（ａ）は、情報印刷部６の一例を示す。この情報印刷部６には、壁の品番、壁の品名、壁サイズ、色柄、穴加工情報等の各種情報を適宜組み合わせ、一連の番号、記号、文字等で示すパネル情報９と、生産ロット１０と、顧客オーダーナンバー１１と、壁番号１２と、を含む印刷情報が印刷されている。
【００２２】
ここで、色柄は、前記のとおり浴室壁面全体の図案を構成するための要素となる色柄や風景等の一部である。穴加工情報は、その壁パネル１に、例えば水道管、電線等を通す穴、棚等を取り付けるためのネジ通し穴等をあける場合は、その種類、位置、形状、寸法等を符号等で示すものである。
【００２３】
情報印刷部６には、上記のような印刷情報に加えてバーコード１３を付与してもよい。バーコード１３は、上記印刷情報及び該印刷情報以外の情報の両方またはいずれか一方をバーコード化したものである。
【００２４】
壁番号１２は、浴室ユニット２の壁３のどの位置に配置する壁パネル１であるかを指示するための配置番号である。施工者は、パネル設置説明書等の資料に従って浴室ユニット２の組み立て作業を行う。
【００２５】
このパネル設置説明書等の資料には、図２（ｂ）に示すように、浴室ユニット２の壁３におけるそれぞれの壁パネル１の配置を、配置すべき壁パネル１の壁番号１２とともに示した配置図１７が記載されている。        
【００２６】
浴室ユニット２の施工者は、壁パネル１の壁番号１２について、パネル設置説明書の配置図１７を照合しながら、複数の壁パネル１をそれぞれの設置位置を決めることができる。これにより、浴室ユニット２の壁３の内面全体に、所定の統一された図案を簡単に形成することが可能となる。
【００２７】
壁情報印刷部６は、壁パネル１の上面５に設けたので、浴室ユニット２の設置後は、浴室の内側に表出することがなく、アフターサービス時には、後記するように浴室ユニット２の天井を少し持ち上げたり外したりすることで確認できる。従って、壁パネル１を全て解体することなく容易に、取り替え等の対象となる壁パネル１だけの情報を得ることができる。
【００２８】
さらに、壁情報印刷部６には、壁パネル１の壁番号１２に加えて、図示はしないが、壁パネル１の設置順序を示す情報が印刷されている構成とすることが好ましい。そのような構成とすると、施工者は、壁パネル１の設置順序及び壁番号１２を示す情報に従って、複数の壁パネル１を設置していけば、浴室ユニット２の壁３の内面全体に、所定の統一された図案を、簡単かつ誤りなく形成することが可能となる。
【００２９】
壁情報印刷部６には、上記印刷情報の全てをバーコード化して、該バーコードのみを印刷して付与した構成としてもよい。印刷情報に替えてバーコードのみを印刷して付与した構成とすれば、製造に際しては少なくともバーコードを印刷するだけで、所定の壁情報全てを壁パネル１に付与することが可能となる。
【００３０】
施工やメインテナンスの際に、施工者等は、バーコードをバーコードリーダーで読み取ることで、壁情報印刷部６の内容を把握でき、或いは直接デジタル情報として用意すべき壁パネル１を、端末機器等によって発注等することが可能となる。
【００３１】
ところで、浴室ユニット２の組み立てに際しては、複数の壁パネル１をそれぞれ壁番号１２に従って所定の位置に配置して、壁３を組み立ててから、その上に天井（通常は全体で２枚の天井パネルから成る）を載せる。
【００３２】
壁パネル１の上面５に天井を載せると、壁情報印刷部６が天井で覆われて見えなくなる。その場合は、天井を少し持ち上げたり外したりすることで、上方から壁情報印刷部６を簡単に確認することが可能である。
【００３３】
本発明の浴室ユニット２において、天井における壁情報印刷部６に対応する箇所に切り欠きもしくは孔が設けられている構成とすれば、アフターサービス等において壁情報印刷部６を確認する必要がある際には、壁パネル１の上面５に天井を載せても、天井点検口等から覗き込むことで、天井の上方から壁情報印刷部６が見えて、より簡単に認識できる。このような浴室ユニット２における天井の構成例のいくつかを以下に説明する。
【００３４】
図３（ａ）に示す構成例は、天井２１の壁情報印刷部６に対応する箇所に切り欠き２２が形成されている。図３（ｂ）に想像線（２点鎖線）で示すように、浴室ユニット２に天井２１を組み込めば、天井２１等に設けられた点検口等から切り欠き２２を通して、壁情報印刷部６を上方から見ることが可能となる。
【００３５】
図４（ａ）〜（ｃ）に、壁情報印刷部６を天井の上方からでも見えるようにした構成例の要部を示す。図４（ａ）の構成例は、図３に示す天井と同じであり、図３（ｂ）中Ａで矢視する部分の拡大図（上下左右向きは異なって示している）である。
【００３６】
図４（ｂ）に示す構成例は、天井２５が壁情報印刷部６を覆わないように避けて、壁パネル１の上面５の内側寄りに天井２５を載置した構成である。従って、壁情報印刷部６を上方から見ることが可能である。
【００３７】
図４（ｃ）に示す構成例は、天井２８の壁情報印刷部６に対応する箇所に孔２７が貫通して形成されている。この孔２７を通して、壁情報印刷部６を上方から見ることが可能である。
【００３８】
以上の図４（ａ）〜（ｃ）に示すとおり、壁情報印刷部６を浴室ユニット２の天井の上方から見ることができる構成とすることにより、例えば、一枚の壁パネル１が破損したり汚れたりしたために取り替える必要が生じた際に、その壁情報印刷部６を上方から見て、簡単に認識することができるので、その壁情報印刷部６に該当する取り替え用の壁パネル１を容易に手配し、準備することが可能となる。
【００３９】
以上、本発明に係る壁パネル及び該壁パネルを備えた浴室ユニットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４０】
本発明に係る壁パネル及び該壁パネルを備えた浴室ユニットは上記のような構成であるから、浴室ユニット用の壁パネルだけでなく、その他建築物の壁パネルにも適用可能である。
【符号の説明】
【００４１】
１  壁パネル
２  浴室ユニット
３  浴室ユニットの壁
４  ドア
５  壁パネルの上面
６  情報印刷部
９  パネル情報記載部
１０  生産ロット
１１  顧客オーダーナンバー
１２  壁番号
１３  バーコード
１７  配置図
２１、２５、２８  天井
２２  天井の切り欠き
２７  天井の孔
【図１】
0006530951.tif 000002
【図２】
0006530951.tif 000003
【図３】
0006530951.tif 000004
【図４】
0006530951.tif 000005